(57)【特許請求の範囲】
【請求項１】
固定フランジ１に支持されたベースプレート（３）と、該ベースプレート（３）に対して回動可能に組み付けられ、かつ、レバープレート（２２）の内側片面に取付けた円筒部（４３）に軸支されたギヤプレート（５）との間に、該ギヤプレート（５）の外側片面側に軸線に沿って並べて設けた内外の内歯（７）（６）の外側内歯（６）と係脱可能な外歯（１６）を有するロックギヤ（１７）と、
前記固定フランジ１に支持され、前記円筒部（４３）に挿通させた回動軸（９）に回動可能に嵌合され、かつ、前記ロックギヤ（１７）に係合して該ロックギヤ（１７）の外歯（１６）を前記ギヤプレート（５）の前記外側内歯（６）に噛合させるようにバネ（２０）により回転付勢されているカム（１４）と、
該カム（１４）と前記ギヤプレート（５）との間に介在させ、かつ、該カム（１４）の回動により前記ロックギヤ（１７）を径内方向に摺動させてロックギヤ（１７）の前記外歯（１６）とギヤプレート（５）の前記外側内歯（６）との噛合を外す前記レバープレート（２２）とを備え、
前記回動軸（９）の、前記固定フランジ１の外側片面より突出する一端に操作レバー（１０）を取付け、前記回動軸（９）の他端は前記円筒部（４３）に挿通し、該円筒部（４３）にはペダル（４７）を取付け、
更に、前記ロックギヤ（１７）の外周に環状のフリー板（３０）を配置し、該フリー板（３０）の内周縁には、ロックギヤ（１７）の内側片面に前記回動軸（９）の軸線に沿わせて突設した突出部（１７ａ）を係合する切欠溝（３６）と、該切欠溝（３６）を抜け出たときの該突出部（１７ａ）が乗り上がるフリー部（３７）とを設け、また、フリー板（３０）の内側片面にメモリー板（３１）を回動可能に取付け、該メモリー板（３１）にはギヤプレート（５）の前記内側内歯（７）に噛合可能な外歯（４０）を備え、
更に、前記レバープレート（２２）には、前記ペダル（４７）の操作による回動でシートバックの調整角度位置を記憶するためにメモリー板（３１）の端部を押圧してメモリー板（３１）の前記外歯（４０）とギヤプレート（５）の前記内側内歯（７）とを噛合させる段部（４２）を外周縁に備えると共に、シートバックをロックフリーの状態にするためにロックギヤ（１７）の突出部（１７ａ）の先端面に設けたカム突起（１７ｂ）に係合して、前記突出部（１７ａ）がフリー板（３０）の切欠溝（３６）から離脱して前記フリー部（３７）に乗り上げるまで、該カム突起（１７ｂ）を径内方向に押圧する内周縁を設けたカム孔（２５）を形成したことを特徴とするメモリー機構を有するリクライニング装置。
【請求項２】
回動軸（９）は、ベースプレート（３）の外側片面に当接し、周側に円弧溝（１１）を設けた環状体（１２）を備え、該環状体（１２）の前記円弧溝（１１）に係合させたストッパ（１３）を前記ベースプレート（３）の外側片面に突設し、操作レバー（１０）によるレバープレート（２２）の回動を規制するために前記円弧溝（１１）と係合した前記ストッパ（１３）により一定の角度に回動を規制された回動軸（９）を備え、更に、回動軸（９）には面取り部（１５）を形成し、該面取り部（１５）に嵌合させるカム（１４）の軸孔（１９）の内周縁に遊びを設け、ペダル（４７）による前記レバープレート（２２）の回動でメモリー機構を作動させるため一定の角度に回動を規制された前記回動軸（９）の回動角度に加え、前記軸孔の遊びによる角度分を回動するカム（１４）を備えたことを特徴とする請求項１に記載のリクライニング装置。
【請求項３】
シートバックのロックオフ状態において、ロックギヤ（１７）の外歯（１６）をギヤプレート（５）の外側内歯（６）から離脱させかつロックギヤ（１７）の突出部（１７ａ）をフリー板（３０）に形成した切欠溝（３６）内に位置決めするために、ロックギヤ（１７）を径外方向に押圧するように付勢する円弧形状のスプリング（２９）をロックギヤ（１７）の突出部（１７ａ）に係止させたことを特徴とする請求項１に記載のリクライニング装置。
【発明の詳細な説明】
【技術分野】
【０００１】
本発明はシートバックを任意の傾斜角度位置に調整可能にすると共にウオークイン動作等でシートバックを前倒位置に移動させる際に元の傾斜角度位置を記憶させかつその傾斜角度位置に復帰させるメモリー機構を有するリクライニング装置に関するものである。
【背景技術】
【０００２】
従来、第１ハンドルを操作させることによりシートバックの傾斜角度位置を調整し、第２ハンドルを操作させることによりシートバックの調整角度位置を記憶すると共にシートバックを前倒位置に移動させかつ前倒前の元の調整角度位置に復帰させてロックする２つのハンドルを有するリクライニング装置は特開平１１−３５１２３６号公報から公知である。この公知のリクライニング装置は可動フランジと固定フランジとの間に外側歯車と２つのピンとを有するロックユニットと、該ロックユニットに係合するロック装置と、該ロック装置に係合してロックユニットを外径方向に付勢して外側歯車を可動フランジの内側歯車に噛合させるバネと、第１ハンドルの制御シャフトに回動可能に配設されかつロック装置とロックユニットの一方のピンに係合する第１制御プレートとを配設し、第１ハンドルの操作により第１制御プレートを回動させてロックユニットの外側歯車を可動フランジの内側歯車から離脱させることによりシートバックの傾斜角度を調整させることができるようにしてある。更に第１制御プレートに係合しかつ第２ハンドルを取付けた金属スリーブを有する第２制御プレートと、第２制御プレートの外側支持端縁と係合するピンと可動フランジの内側歯車と係脱する外側歯車とを有する記憶保持ユニットと、記憶保持ユニットを取付けかつロックユニットのピンを案内する切欠きと制限止め子とを有する記憶保持制御装置と、記憶保持ユニットと記憶保持制御装置との回動を案内させるために固定フランジに取付けた制限止め子を有する円形状リブとを配設し、第２ハンドルの操作により第２制御プレートを回動させ、第２制御プレートの外側支持端縁を記憶保持ユニットのピンと係合させ、記憶保持ユニットの外側歯車を可動フランジの内側歯車に係合させることによりシートバックの傾斜位置を記憶し、同時に第２制御プレートの回動により第１制御プレートを回動させ、ロックユニットの外側歯車を可動フランジの内側歯車から離脱させ、ロックユニットを更に径内方向に移動させることによりロックユニットの一方のペグを保持制御装置の切欠きから外して固定フランジに対して可動フランジを記憶保持ユニットと記憶保持制御装置と共に回動させることによりシートバックを前倒位置に移動させることができ、そして固定フランジに対して可動フランジを記憶保持ユニットと記憶保持制御装置と共に反対方向に回動させ、ロックユニットの一方のピンに記憶保持制御装置の制限止め子を当接させることによりシートバックを前倒前の元の傾斜位置に復帰させることができるようにしてある。
【０００３】
【特許文献１】特開平１１−３５１２３６号公報
【発明の開示】
【発明が解決しようとする課題】
【０００４】
上述した従来技術のリクライニング装置においては、第１ハンドルの操作により回動する第１制御プレートと第２ハンドルの操作により回動する第２制御プレートとの２つの制御プレートによりロックユニットの解除と記憶保持ユニットの制御を行うためにその構造が非常に複雑であり、また２つの制御プレートの動きにずれが生じ、シートバックの調整傾斜角度を正確に記憶することができない欠点がある。
【０００５】
本発明の目的はその構造が非常に簡単であり、シートバックの調整傾斜角度を正確に記憶すると共に記憶した調整傾斜角度に正確かつ確実に戻るメモリー機構を有するリクライニング装置を提供することにある。
【課題を解決するための手段】
【０００６】
本発明によるメモリー機構を有するリクライニング装置は固定フランジに支持されたベースプレートと該ベースプレートに対して回動可能に組み付けられかつレバープレートの筒状部に軸支されたギヤプレートとの間にギヤプレートの内歯と係脱可能な外歯を有するロックギヤと、前記ベースプレートに支持させた回動軸に回動可能に嵌合されかつロックギヤに係合してロックギヤの外歯をギヤプレートの外側内歯に噛合させるようにバネにより回転付勢されているカムと、カムとロックギヤとに係合させかつカムの回動によりロックギヤを径内方向に摺動させてロックギヤの外歯とギヤプレートの外側内歯との噛合を外すレバープレートとを備えている。回動軸の一端には操作レバーを取付け、回動軸の他端をレバープレートに取付けた筒状部に挿通し、レバープレートの筒状部にはペダルを取付けている。ロックギヤの外周面上に配置させたフリー板にはロックギヤの突起部を収容する切欠溝とロックギヤの突起部が乗り上がるフリー部とを設け、フリー板に回動可能に設けたメモリー板にはギヤプレートの内側内歯に噛合可能な外歯を備え、メモリー板の外歯がギヤプレートの内側内歯と噛合しない位置にメモリー板を支持させてある。レバープレートにはペダルの操作によりシートバックの調整角度位置を記憶するためにメモリー板を押圧してメモリー板の外歯とギヤプレートの内側内歯とを噛合させる段部を備えると共にシートバックをロックフリーの状態にするためにロックギヤのカム突起と係合してロックギヤの突起部をフリー板の切欠溝から、抜き出してフリー部に乗り上げるまで押圧するカム孔を形成してある。
【０００７】
本発明の回動軸にはベースプレートの外面上に当接するように円弧溝を有する環状部を備え、環状部の円弧溝に挿入させたストッパをベースプレートの外側片面上に突設し、操作レバーによるレバープレートの回動には一定の角度、例えば約１７°に規制されて回動する。また回動軸にはカムの軸孔を通してカムを嵌合させる面取り部を形成し、回動軸の面取り部に嵌合させるカムの軸孔に遊びを設け、ペダルによるレバープレートの回動には前記回動軸の約１７°の回動と一定の角度、例えば約１０°に規制されたカムの回動との約１７°＋約１０°＝約２７°回動角度で回動する。
【０００８】
本発明のシートバックのロックオフ状態において、ロックギヤの外歯をギヤプレートの外側内歯から離脱させかつロックギヤの突起部をフリー板に形成した切欠溝内に位置決めするために、ロックギヤを径外方向に押圧するように付勢する円弧形状のスプリングは２つのロックギヤの突起部に係止させてある。
【発明の効果】
【０００９】
本発明によるリクライニング装置においては、レバープレートのカム孔によりロックギヤとギヤプレートとの噛合を解除させ、レバープレートの段部によりメモリー板をギヤプレートに噛合させる構成であり、１つのレバープレートでロックギヤの解除を行うと共にメモリー板の係脱を制御することができるので、その構造が非常に簡単でありかつシートバックの調整角度を正確に記憶すると共に記憶した調整角度位置に正確かつ確実に戻ることができ、更にロックギヤをスプリングにより径外方向に付勢するように押圧するので、操作レバーの操作時にフリー板の切欠溝内に位置されるロックギヤの突出部が誤ってフリー部に乗り上げる位置まで引き込むのを防止することができる。
【発明を実施するための最良の形態】
【００１０】
本発明によるリクライニング装置はカバー板２を介して固定フランジ１に取付けた円形状のベースプレート３と可動フランジ４に取付けた円形状のギヤプレート５とを備え（図２参照）、ギヤプレート５は外側内歯６と該外側内歯６の内径よりも径の小さい内側内歯７とを、外側方面側に軸線に沿って並べて２段に形成してあり、そして固定リング８によりベースプレート３に対して回動可能に組付けられている。
【００１１】
ベースプレート３はカバー板２と共に固定フランジ１に支持され、該固定フランジ１に支持させた回動軸９にその外側の一端に操作レバー１０を取付けると共に、カバー板２とベースプレート３との間に環状体１２を形成し、環状体１２はベースプレート３の外側片面に取付けたストッパ１３を挿入させる円弧溝１１をその周側に有し、回動軸９の回動はストッパ１３により環状体１２の円弧溝１１内に制限され、実施例は、操作レバー１０の作動により、回動軸９は約１７°だけしか回動できないようにしてある。更に回動軸９にはカム１４を回動させる面取り部１５を形成してある。
【００１２】
ベースプレート３とギヤプレート５との間にはギヤプレート５の前記外側内歯６と係脱可能な外歯１６を有する２つのロックギヤ１７を備え、ロックギヤ１７はその内側片面に回動軸９の軸線に沿わせて突設した突出部１７ａを備えると共に該突出部１７ａの先端面にカム突起１７ｂを設け、ベースプレート３の内側片面に形成した固定ガイド１８に沿って径内方向と径外方向に摺動可能であり、回動軸９の面取り部１５に嵌合される軸孔１９を有するカム１４に係合している。カム１４はベースプレート３の内側片面に取付けた２つのバネ２０により回転付勢され、ロックギヤ１７を径外方向に押圧してロックギヤ１７の外歯１６をギヤプレート５の外側内歯６に噛合させ、シートバックはロックされる。更にカム１４はその軸孔１９に遊びを有して回動軸９の面取り部１５に回動可能に嵌合されている。
【００１３】
カム１４の内側片面にはワッシャ２１を介してレバープレート２２を配設させ、レバープレート２２にはカム１４の内側片面に突設した２つのピン２３を嵌合させる２つのピン孔２４と、ロックギヤ１７の突出部１７ａの先端面に備えたカム突起１７ｂと係合するカム孔２５とを形成してある。操作レバー１０の作動により回動軸９が回動すると、カム１４がバネ２０に抗して回動し、カム１４の回動に伴ってレバープレート２２は回動軸９を中心に回動し、レバープレート２２のカム孔２５がロックギヤ１７のカム突起１７ｂを径内方向に引き込ませるので、ロックギヤ１７の外歯１６がギヤプレート５の外側内歯６から離脱して、シートバックはロックオフとなる。
【００１４】
ワッシャ２１はロックギヤ１７とレバープレート２２との間に配設され、ワッシャ２１には突起部２６を形成し、該突起部２６はロックギヤ１７とレバープレート２２との間のロックギヤ１７の突出部１７ａだけの間隙を埋めるもので、ロックギヤ１７の突出部１７ａに設けたカム突起１７ｂをレバープレート２２のカム孔２５に係合させるためのものであるから、ワッシャ２１はロックギヤ１７とレバープレート２２との間のスペーサとして作用する。更にワッシャ２１は回動軸９を挿通させる中心孔２７を有し、該中心孔２７の周縁には凹溝２８を穿設し、凹溝２８はカム１４のピン２３を嵌合させてあるので、カム１４の回動に伴いワッシャ２１も回動する。
【００１５】
ワッシャ２１の内側片面側に配設されたスプリング２９は円弧形状のスプリングであって、その両端縁をロックギヤ１７の突出部１７ａに引掛け、２つのロックギヤ１７を径外方向に押圧するように付勢している。
【００１６】
２つのロックギヤ１７の外周上に配設されたフリー板３０はリング形状の板からなり、その内側片面上にはメモリー板３１をフリー板３０に回動可能に取付けるための３つの突起部３３，３４，３５を突設させ、内周縁にはロックギヤ１７の突出部１７ａを挿入させる切欠溝３６を設けると共にロックギヤ１７の突出部１７ａが乗り上がるフリー部３７を形成している。突起部３３にはスプリング３２のリング部を取付け、突起部３４にはメモリー板３１の孔３８を嵌合させてメモリー板３１を回動可能に支持させ、突起部３５にはメモリー板３１がスプリング３２により内側に引き込み過ぎるのを防止するためにメモリー板３１に形成した突起部３９を当接させてある。ロックギヤ１７の外歯１６がギヤプレート５の外側内歯６と噛合しているシートバックのロック状態においてはロックギヤ１７の突出部１７ａがフリー板３０の切欠溝３６内に嵌挿されているが、ロックギヤ１７の突出部１７ａがフリー部３７に乗り上がる位置までフリー板３０の切欠溝３６から抜き出る場合にはロックギヤ１７の外歯１６がギヤプレート５の外側内歯６から離脱され、シートバックがロックフリーの状態となる。
【００１７】
フリー板３０の内側片面側に取付けられているメモリー板３１はフリー板３０の突起部３５に当接させる突起部３９と、メモリー板３１の突起部３４を嵌合させる孔３８と、ギヤプレート５の内側内歯７と噛合可能な外歯４０とを有し、フリー板３０の突起部３４に回動可能に支持されている。メモリー板３１は一端をフリー板３０に係止させ、その他端をメモリー板３１の突起部４１に係合させたスプリング３２によりフリー板３０の突起部３４を回動軸としてメモリー板３１の外歯４０がギヤプレート５の内側内歯７から離脱する方向に付勢されている。レバープレート２２に設けた段部４２がメモリー板３１を押圧すると、スプリング３２の付勢力に抗してメモリー板３１の外歯４０がギヤプレート５の内側内歯７と噛合する。
【００１８】
レバープレート２２はワッシャ２１の内側片面上に配置され、カム１４のピン２３を嵌合させるピン孔２４を有し、レバープレート２２のピン孔２４にカム１４のピン２３を嵌合しているので、操作レバー１０を操作してカム１４を回動させると、レバープレート２２もカム１４の回動に伴い回動する。この場合に操作レバー１０は円弧溝１１とストッパ１３とにより約１７°しか回動しないようにしてあるので、レバープレート２２もその分しか回動しない。レバープレート２２には円筒部４３を一体的に取付けると共にその外周縁に段部４２を形成してあり、円筒部４３はギヤプレート５の中心孔４４と可動フランジ４の中心孔４５とを通して内側に延伸させ、その端部に連結杆４６を取付けると共にペダル４７を取付けてあり、レバープレート２２の円筒部４３内には回動軸９を挿通させて内側まで延伸させ、その他端には連結杆４８を取付けてある。レバープレート２２はペダル４７を操作させることによっても回動することができる。この場合に、ペダル４７はカム１４の軸孔１９が回動軸９の面取り部１５に対して約１０°の遊びを有して嵌合されているので、約２７°（操作レバー１０の回動、１７°＋カムの回動、１０°＝２７°）まで回動することができ、従ってレバープレート２２もその分だけ回動することができる。レバープレート２２の外周縁に形成した段部４２はレバープレート２２の約２７°の回動によりメモリー板３１を押圧し、メモリー板３１の外歯４０をギヤプレート５の内側内歯７に噛合させ、シートバックの調整角度位置のメモリーを行う。
【００１９】
以下にシートバックの通常のリクライニング調整の作動を説明する。操作レバー１０を操作させてリクライニング調整を行う場合には、操作レバー１０の操作により回動軸９の回動に伴いカム１４が回動すると共にレバープレート２２も回動するが、操作レバー１０は約１７°までしか回動することができず、レバープレート２２もその分しか回動しないので、レバープレート２２は図５に示したようにその段部４２がメモリー板３１を押圧する位置まで回動することはなく、またレバープレート２２のカム孔２５はロックギヤ１７の突出部１７ａをフリー板３０のフリー部３７上に乗り上げる位置までロックギヤ１７のカム突起１７ｂを引き込むことがない。従って操作レバー１０の操作においてはメモリー板３１の外歯４０をギヤプレート５の内側内歯７に噛合させることはなく、またロックギヤ１７の突出部１７ａがフリー板３０の切欠溝３６内から抜け出ることもないので、ギヤプレート５が回動してもフリー板３０は回動せず、ロックギヤ１７の外歯１６をギヤプレート５の外側内歯６から外し、新しい角度位置で再び噛合させる通常のリクライニング調整となる。
【００２０】
次に、シートバックの調整角度位置を記憶してシートバックを前倒位置に移動させそして前倒前の調整角度位置に復帰させてロックする作動を説明する。
【００２１】
任意のリクライニング調整位置において、ペダル４７を操作させると、ペダル４７に取付けてある円筒部４３が回動すると共に円筒部４３を有するレバープレート２２も回動し、ペダル４７は回動軸９とカム１４の軸孔１９の遊びとにより２７°まで回動することができ、レバープレート２２もその分まで回動するので、レバープレート２２は図６に示したようにその段部４２がメモリー板３１を押圧する位置まで回動し、メモリー板３１はレバープレート２２の段部４２に押圧され、スプリング３２の付勢力に抗して突出部３４を回動軸として回動し、その外歯４０をギヤプレート５の内側内歯７に噛合させることによりシートバックの調整角度位置を記憶する。
【００２２】
メモリー板３１の外歯４０とギヤプレート５の内側内歯７との噛合と同時に、レバープレート２２のカム孔２５は、図６に示したようにロックギヤ１７の外歯１６をギヤプレート５の外側内歯６から離脱させると共に更にロックギヤ１７の突出部１７ａをフリー板３０のフリー部３７に乗り上がる位置までロックギヤ１７のカム突起１７ｂを引き込ませるので、ロックギヤ１７の突出部１７ａがフリー板３０の切欠溝３６内から抜け出るようになり、それによりシートバックの前倒を行うことができる。
【００２３】
シートバックの前倒において、調整角度位置を記憶したメモリー板３１はその外歯４０をギヤプレート５の内側内歯７に噛合しているので、ベースプレート３に対してギヤプレート５が回動すると、ギヤプレート５と共にフリー板３０も回動し、またレバープレート２２のカム孔２５がロックギヤ１７の突出部１７ａをフリー板３０のフリー部３７に乗り上げる位置まで引き込んでいるので、ロックギヤ１７の突出部１７ａがフリー板３０のフリー部３７に乗り上げて、ロックフリーの状態となる（図７参照）。前倒ロックフリーの状態では図７に示すようにメモリー板３１はレバープレート２２の段部４２に乗り上げた状態になっているため、メモリー板３１の外歯４０とギヤプレート５の内側内歯７の噛合が維持される。
【００２４】
ロックフリーの前倒し状態から元の調整角度位置に戻す場合は、ベースプレート３に対してギヤプレート５を回動させると、ギヤプレート５がフリー板３０と共に回動して、フリー板３０のフリー部３７が図８に示すようにロックギヤ１７の突出部１７ａを越えて、フリー板３０の切欠溝３６がロックギヤ１７の突出部１７ａ上に到来すると、ロックギヤ１７の突出部１７ａがバネ２０とスプリング２９とによりフリー板３０の切欠溝３６に落下し、ロックギヤ１７の外歯１６はギヤプレート５の外側内歯６に噛合して、メモリー板３１により記憶された元の調整角度位置で再びシートバックがロックされる。同時にメモリー板３１もレバープレート２２の段部４２から落ちて、メモリー板３１の外歯４０とギヤプレート５の内側内歯７との噛合を解除する。
【図面の簡単な説明】
【００２５】
【図１】本発明によるリクライニング装置のギヤプレート側から見たシートバックのロック状態を示す縦断正面図である。
【図２】図１のＡ−Ａ線に沿う縦断側面図である。
【図３】本発明によるリクライニング装置の主要構成部材の分解斜視図である。
【図４】本発明によるリクライニング装置のワッシャ側から見た基本構成部材の縦断正面図である。
【図５】本発明によるリクライニング装置のシートバックのリクライニング調整を示す図１と同様の縦断正面図である。
【図６】本発明によるリクライニング装置のシートバックの調整角度位置を記憶する状態を示す図１と同様の縦断正面図である。
【図７】本発明によるリクライニング装置のシートバックの前倒し状態を示す図１と同様の縦断正面図である。
【図８】本発明によるリクライニング装置のシートバックの前倒し状態から元の調整角度位置に復帰する状態を示す図１と同様の縦断正面図である。
【符号の説明】
【００２６】
３          ベースプレート
５          ギヤプレート
６          外側内歯
７          内側内歯
９          回動軸
１０        操作レバー
１１        円弧溝
１２        環状部
１３        ストッパ
１４        カム
１５        面取り部
１６        外歯
１７        ロックギヤ
１７ａ      突出部
１７ｂ      カム突起
１９        軸孔
２０        バネ
２２        レバープレート
２５        カム孔
２９        スプリング
３０        フリー板
３１        メモリー板
３６        切欠溝
３７        フリー部
４０        外歯
４２        段部
４３        円筒部
【図１】
0004361100.tif 000002
【図２】
0004361100.tif 000003
【図３】
0004361100.tif 000004
【図４】
0004361100.tif 000005
【図５】
0004361100.tif 000006
【図６】
0004361100.tif 000007
【図７】
0004361100.tif 000008
【図８】
0004361100.tif 000009